(57)【要約】【課題】本発明は、記録ディスクメディアに対する適正な記録再生を行うことができ、記録ディスクメディアの高密度記録化を図ることができる記録ディスクカートリッジを提供する。【解決手段】本発明は、ドライブ装置のスピンドルに装着されて回転力を受け取るチャック部３２Ｂが設けられた金属製のハブ３２を備えた記録ディスクカートリッジであって、ハブ３２に、ドライブ装置のスピンドルに設けられた係止部が係止される歯状部（滑り止め防止部）３２Ｃがハブ３２の一部を鍛造加工することにより一体的に形成されていることを特徴とする。【選択図】図７
2007164877.tif 000002
【特許請求の範囲】
【請求項１】
ドライブ装置のスピンドルに装着されて回転力を受け取るチャック部が設けられた金属製のハブと、
前記ハブに支持された記録ディスクメディアと、
前記記録ディスクメディアを収容するとともに前記記録ディスクメディアを外部に臨ませる開口部を有するカートリッジケースと、
前記カートリッジケース内で回動して前記開口部を開閉する円盤形状のロータリシャッタと、
を備えた記録ディスクカートリッジであって、
前記ハブに、前記ドライブ装置の前記スピンドルに設けられた係止部が係止される滑り止め防止部が、該ハブの一部を加工することにより形成されていることを特徴とする記録ディスクカートリッジ。
【請求項２】
前記ハブが、環状に形成された金属部材であって、鍛造加工により前記金属部材に凸部が形成されており、
前記滑り止め防止部は、前記凸部を鍛造加工することにより形成されていることを特徴とする請求項１に記載の記録ディスクカートリッジ。
【請求項３】
前記滑り止め防止部は、前記ハブの前記チャック部が設けられた部位とは別部位に設けられていることを特徴とする請求項１または請求項２に記載の記録ディスクカートリッジ。
【請求項４】
前記滑り止め防止部は、前記ハブの周方向に歯状に形成されていることを特徴とする請求項１乃至請求項３のいずれか１項に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきているとともにその記録長はより短くなってきている。
【０００３】
従来の記録ディスクカートリッジとしては、例えば特許文献１に記載のものが知られている。ここで、図１１（ａ）は、従来の記録ディスクカートリッジの上側を前方左側から見下ろした様子を示す斜視図、図１１（ｂ）は、この記録ディスクカートリッジの下側を後方左側から見上げた様子を示す斜視図である。図１１（ａ）に示すように、従来の記録ディスクカートリッジ８００は、その外観が厚さの薄い略直方体であって、カートリッジケース８１０の内部に回動可能に配置されたロータリシャッタ８２０と、このロータリシャッタ８２０の内部に回転自在に配置された記録ディスクメディア８３０とを備えている。この記録ディスクカートリッジ８００では、薄さを確保するために、カートリッジケース８１０とロータリシャッタ８２０とが金属プレートに絞り加工を施すことによって形成されている。
【０００４】
この記録ディスクカートリッジ８００では、図１１（ｂ）に示すように、カートリッジケース８１０の下面に記録ディスクメディア８３０のハブ８３１が開口部８１０ａを通じて臨むようになっており、このハブ８３１に対して図示しないドライブ装置のスピンドルがチャッキングすることで記録ディスクメディア８３０が回転するようになっている。また、ロータリシャッタ８２０には、記録密度を向上させるために入り込んできた塵埃を除去する役割を果たす図示しないライナが設けられている。
【特許文献１】米国特許第６２５６１６８号明細書
【発明の開示】
【発明が解決しようとする課題】
【０００５】
しかしながら、従来の記録ディスクカートリッジ８００では、記録密度を向上させた記録ディスクメディア８３０と磁気記録再生ヘッドとの間の摩擦抵抗が過大となることがあり、このような抵抗が生じた場合には、ドライブ装置のスピンドルとハブ８３１との間に滑りが生じるおそれがあった。また、記録密度を向上させるために設けたライナが記録ディスクメディア８３０の回転時に抵抗として作用するおそれがあり、このような抵抗が生じた場合には、ドライブ装置のスピンドルとハブ８３１との間に滑りが生じるおそれがあった。記録ディスクメディア８３０の回転時に、このような滑りが生じると、記録ディスクメディア８３０に対する適正な記録再生が阻害されるおそれがあり、その改善が望まれていた。
【０００６】
そこで、本発明は、記録ディスクメディアに対する適正な記録再生を行うことができ、記録ディスクメディアの高密度記録化を図ることができる記録ディスクカートリッジを提供することを課題とする。
【課題を解決するための手段】
【０００７】
前記課題を解決する本発明は、ドライブ装置のスピンドルに装着されて回転力を受け取るチャック部が設けられた金属製のハブと、前記ハブに支持された記録ディスクメディアと、前記記録ディスクメディアを収容するとともに前記記録ディスクメディアを外部に臨ませる開口部を有するカートリッジケースと、前記カートリッジケース内で回動して前記開口部を開閉する円盤形状のロータリシャッタと、を備えた記録ディスクカートリッジであって、前記ハブに、前記ドライブ装置の前記スピンドルに設けられた係止部が係止される滑り止め防止部が、該ハブの一部を加工することにより形成されていることを特徴としている。
【０００８】
この記録ディスクカートリッジでは、ドライブ装置の前記スピンドルに設けられた係止部が係止される滑り止め防止部がハブに設けられているので、ドライブ装置に記録ディスクカートリッジを装着すると、ドライブ装置のスピンドルの係止部が記録ディスクカートリッジのハブの滑り止め防止部に係止され、スピンドルの回転がハブに対して確実に伝達されることとなる。しかも、滑り止め防止部は、金属部材であるハブの一部を加工することにより形成されているので、ドライブ装置への着脱を繰り返し行っても磨耗することがなく、長期的な使用が可能となる。
したがって、本発明の記録ディスクカートリッジによれば、記録ディスクメディアに対する適正な記録再生を行うことができ、記録ディスクメディアの高密度記録化を図ることができる。
【０００９】
また、前記ハブが、環状に形成された金属部材であって、鍛造加工により前記金属部材に凸部が形成されており、前記滑り止め防止部は、前記凸部を鍛造加工することにより形成されているのがよい。
【００１０】
この記録ディスクカートリッジによれば、例えば、切削では精密な加工が困難なハブについて、滑り止め防止部が高品質に形成されているとともに、当該滑り止め防止部の加工に伴い使用するプレス機や鍛造金型への負担を軽減し、これらプレス機や鍛造金型等の長寿命化を図ることが可能となり、好適である。つまり、本発明に係るハブは、まず、環状（リング状）に形成された金属部材に、鍛造で滑り止め防止部を設ける凸部を形成し、その後、この凸部に滑り止め防止部を鍛造で加工することで形成されているため、高度な技術を要する切削や、過大なプレス力を要することなく滑り止め防止部が形成されている。
【００１１】
また、前記滑り止め防止部は、前記ハブの前記チャック部が設けられた部位とは別部位に設けられている構成とするのがよい。
【００１２】
この記録ディスクカートリッジによれば、滑り止め防止部が、ハブのチャック部が設けられた部位とは別部位となっているので、スピンドルがチャック部に装着される際に滑り止め防止部が干渉することがなく、装着が阻害されることがない。したがって、スピンドルの回転がチャック部を介してハブに良好に伝達されることとなる。しかも、前記のように装着が阻害されることがないので、スピンドルとハブとの安定した接続が確保され、ハブに支持された記録ディスクメディアが回転する際に面振れ等を生じることがない。したがって、記録ディスクメディアに対する適正な記録再生を行うことができ、記録ディスクメディアの高密度記録化を図ることができる。
【００１３】
また、前記滑り止め防止部は、前記ハブの周方向に歯状に形成されている構成とするのがよい。
【００１４】
この記録ディスクカートリッジによれば、滑り止め防止部がハブの周方向に歯状に形成されているので、ドライブ装置のスピンドルの係止部をこれに係止される形状、例えば、歯状に形成することにより、係止部と滑り止め防止部との確実な係止を行うことができ、スピンドルとハブとの滑りをより一層確実に防止して記録ディスクメディアに対する適正な記録再生を行うことができる。
【発明の効果】
【００１５】
本発明の記録ディスクカートリッジによれば、記録ディスクメディアに対する適正な記録再生を行うことができ、記録ディスクメディアの高密度記録化を図ることができる。
【発明を実施するための最良の形態】
【００１６】
本発明を実施するための最良の形態について図面を参照して詳細に説明する。
参照する図面において、図１は、本実施形態に係る記録ディスクカートリッジを示す斜視図であり、（ａ）は、この記録ディスクカートリッジの上側を見下ろした様子を示す図、（ｂ）は、この記録ディスクカートリッジの下側を見上げた様子を示す図である。図２は、図１の記録ディスクカートリッジの分解斜視図である。図３は、図１の記録ディスクカートリッジを構成する下シェル及びハブ孔シャッタを取り外したときの記録ディスクカートリッジの下側の様子を示す図である。図４は、図１の記録ディスクカートリッジを構成するロータリシャッタの斜視図であり、（ａ）は、ロータリシャッタの上側を見下ろした様子を示す図、（ｂ）は、ロータリシャッタの下側を見上げた様子を示す図である。図５は、記録ディスクカートリッジの中央部の拡大断面図である。図６は、記録ディスクメディアを分解して下側を見上げた様子を示す斜視図である。図７（ａ）はハブの下側を見上げた様子を示す拡大斜視図、図７（ｂ）は図７（ａ）のｂ−ｂ断面図である。さらに、図８は、ハブの製造に係る各状況を示す図であって、（ａ）はリング状に形成された金属部材を示す斜視図、（ｂ）はリング状の金属部材に凸部が形成された状況を示す斜視図、（ｃ）は（ｂ）の加工状況を示す断面図、（ｄ）は凸部に歯状部が形成された状況を示す斜視図、（ｅ）は（ｄ）の加工状況を示す断面図である。
なお、本実施形態において方向を説明する場合は、図１に示す前、後、右、左、上、下を基準として説明する。また、図３中、下シェルのガイド溝及びハブ孔シャッタは、便宜上、仮想線（二点鎖線）で表わしている。
【００１７】
図１（ａ）及び（ｂ）に示すように、本実施形態に係る記録ディスクカートリッジ１は、その外観が板状体であって、平面視で前側の輪郭が円弧状（アーチ状）となるように、そして後側の輪郭が略矩形となるように形成されている。この記録ディスクカートリッジ１は、後記する専用のドライブ装置Ｄ（図１０参照）に、その前側から挿入されて使用される。ちなみに、記録ディスクカートリッジ１の後端は、その中間部が後方に膨らんでおり、記録ディスクカートリッジ１をドライブ装置Ｄ（図１０参照）に対して出し入れする際に把持し易くなっている。
【００１８】
この記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０とを備えている。
【００１９】
＜カートリッジケース＞
カートリッジケース１０は、図１（ａ）及び（ｂ）に示すように、厚さの薄い箱状体であって、記録ディスクカートリッジ１の略外形を構成している。つまり、カートリッジケース１０は、前側が平面視で円弧（アーチ）状に形成されるとともに、後側、右側及び左側が平面視で略直線状に形成されている。このカートリッジケース１０の前側左寄りには、カートリッジケース１０内に収容された記録ディスクメディア３０を外部に臨ませるためのアクセス用開口部１０１が形成されている。そして、アクセス用開口部１０１は、後記するドライブ装置Ｄ（図１０参照）のスイングアームＳＡ（図１０参照）の動作に干渉しないように、平面視でくさび形状となっている。
【００２０】
このようなカートリッジケース１０は、図２に示すように、互いに対向して配置される金属製の上シェル１１及び下シェル１２と、この上シェル１１及び下シェル１２の間に介在してカートリッジケース１０の周壁となる合成樹脂製のフレーム部材１３とを備えて構成されている。ここでは、上シェル１１及び下シェル１２、並びにフレーム部材１３の順番で以下に説明する。
【００２１】
上シェル１１及び下シェル１２は、金属プレートを後記するように折り曲げ加工して形成されたものである。上シェル１１は、図２に示すように、主にカートリッジケース１０の平坦な上壁を構成し、下シェル１２は、主にカートリッジケース１０の平坦な下壁を構成している。このような上シェル１１及び下シェル１２のそれぞれには、アクセス用開口部１０１に対応する形状でアクセス用開口部１１１，１２１が形成されている。
【００２２】
そして、上シェル１１は、その左側に、折り曲げ加工して形成された平面視で直線状の折り曲げ部１１２ｄを有しており、その右側に、折り曲げ部１１２ｃを有している。下シェル１２は、その左側に、平面視で直線状の折り曲げ部１２２ｄを有しており、その右側に、折り曲げ部１２２ｃを有している。そして、下シェル１２の折り曲げ部１２２ｄ，１２２ｃが上シェル１１の折り曲げ部１１２ｄ，１１２ｃの内側に配置されるように、上シェル１１と下シェル１２とが組み合わされてカートリッジケース１０が形成されることとなる。このようなカートリッジケース１０では、上シェル１１の折り曲げ部１１２ｄ，１１２ｃと下シェル１２の折り曲げ部１２２ｄ，１２２ｃとが互いに隙間なく重なり合ってカートリッジケース１０の左右両側における直線状の周壁の一部を構成している。
【００２３】
そして、上シェル１１の中央部には、図２に示すように、ロータリシャッタ２０を回動可能に止め付けるセンタピン５０と係合する係合孔１１３が形成されている。
【００２４】
一方、下シェル１２の中央部には、記録ディスクメディア３０のハブ３２を外部に臨ませるハブ孔１２３が形成されている。そして、記録ディスクカートリッジ１がドライブ装置Ｄ（図１０参照）に装填された際に、ドライブ装置Ｄのスピンドル（図９（ａ）（ｂ）参照）が、このハブ孔１２３を介してハブ３２に装着されることとなる。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
このような上シェル１１及び下シェル１２は、例えばステンレス鋼等の金属プレートに打ち抜き加工、及び前記した折り曲げ加工を施すことによって形成される。
【００２５】
フレーム部材１３は、図１（ａ）、（ｂ）及び図２に示すように、カートリッジケース１０の前側における周壁の一部を構成するアーチ状フレーム１３１と、主に後側の周壁を構成するベースフレーム１３２と、左側の周壁の一部を構成するＶノッチ部材１３３とを備えて構成されている。
【００２６】
図３に示すように、アーチ状フレーム１３１の内壁面１３１ａは、ロータリシャッタ２０の外形に沿うように平面視で略円弧状になっており、アーチ状フレーム１３１の外壁面１３１ｂは、カートリッジケース１０の前側の輪郭を形成するように平面視で円弧状（アーチ状）になっている。そして、ベースフレーム１３２の内壁面１３２ａは、記録ディスクメディア３０の外縁に沿うように平面視で円弧状（アーチ状）になっており、ベースフレーム１３２の外壁面１３２ｂはカートリッジケース１０の後側の輪郭を形成するように平面視で略直線状で、かつ、その中間部が後方に膨らんでいる。
【００２７】
アーチ状フレーム１３１の内壁面１３１ａには、図３に示すように、後記するロック片７０を係止する係合溝１３１ｅが形成されている。この係合溝１３１ｅは、記録ディスクカートリッジ１の右側で開口している。
【００２８】
Ｖノッチ部材１３３は、図３に示すように、ロータリシャッタ２０を閉位置で止めるストッパとしての役割と、ドライブ装置Ｄ（図１０参照）との係合部としての役割とを担う部材であって、記録ディスクカートリッジ１の左側における直線部の前端に位置している。
【００２９】
以上のような上シェル１１及び下シェル１２とフレーム部材１３とは、例えば、かしめ、接着、ネジ止め等の公知の技術によって、それぞれ固定される。
【００３０】
＜ロータリシャッタ＞
ロータリシャッタ２０は、アクセス用開口部１０１（図１（ａ）（ｂ）参照）を開閉するためのシャッタであって、図４（ａ）及び（ｂ）に示すように、円盤形状に形成されている。このロータリシャッタ２０は、中空構造を有しており、その内部には記録ディスクメディア３０が回転自在に収容されている。そして、ロータリシャッタ２０は、アクセス用開口部１０１（図１（ａ）（ｂ）参照）と略同形状の切欠部２０１を有しており、この切欠部２０１から記録ディスクメディア３０が外部に臨んでいる。
【００３１】
再び図２を参照すると、ロータリシャッタ２０は、金属プレートからなり、後記する切欠部２１１，２２１が形成された略円形の上シャッタ２１及び下シャッタ２２と、これらの間に配置された合成樹脂製のシャッタウォール２３とを備えて構成されている。ここでは、上シャッタ２１及び下シャッタ２２、並びにシャッタウォール２３の順番で以下に説明する。
【００３２】
上シャッタ２１及び下シャッタ２２は、例えばアルミニウム合金からなる金属プレートを打ち抜き加工して形成されたものである。上シャッタ２１は、図２に示すように、主にロータリシャッタ２０の平坦な上壁部を構成し、下シャッタ２２は、主にロータリシャッタ２０の平坦な下壁部を構成している。
図４（ａ）及び（ｂ）に示すように、上シャッタ２１及び下シャッタ２２のそれぞれには、切欠部２０１に対応する形状で切欠部２１１，２２１が形成されている。そして、図４（ａ）及び（ｂ）に示すように、それぞれの切欠部２１１及び切欠部２２１が揃うように上シャッタ２１と下シャッタ２２とが組み合わせられることで、ロータリシャッタ２０の切欠部２０１が形成されることとなる。
【００３３】
下シャッタ２２の中央部には、図４（ｂ）に示すように、記録ディスクメディア３０のハブ３２を外部に臨ませるハブ孔２２２が形成されている。ちなみに、本実施形態でのハブ孔２２２は、カートリッジケース１０（図１（ｂ）参照）のハブ孔１２３（図１（ｂ）参照）と略同径になっている。そして、記録ディスクカートリッジ１がドライブ装置Ｄ（図１０参照）に装填された際に、このハブ孔２２２と前記したカートリッジケース１０（図２参照）のハブ孔１２３（図２参照）とを介して、ドライブ装置Ｄのスピンドル（図９（ａ）（ｂ）参照）が、ハブ３２に装着されることとなる。なお、ハブ３２の説明は、後記する記録ディスクメディア３０のところで行う。
【００３４】
下シャッタ２２の下側には、図４（ｂ）に示すように、記録ディスクカートリッジ１のドライブＤ（図１０参照）への着脱時にロータリシャッタ２０を回動させるためのシャッタノブ２４が取り付けられている。このシャッタノブ２４は、図１（ｂ）に示すように、カートリッジケース１０の下シェル１２に形成されたガイド孔１２４を介して、記録ディスクカートリッジ１の下側から突出している。
【００３５】
また、下シャッタ２２の下側には、図４（ｂ）に示すように、後記するハブ孔シャッタ４０（図２参照）の係合長孔４１３（図２参照）に係合する係合突起２２３ａと、係合長孔４２３（図２参照）に係合する係合突起２２３ｂとが立設されている。
【００３６】
そして、下シャッタ２２は、図２に示すように、その一部が上側に折り曲げ加工されることで形成されたロック片７０を備えている。このロック片７０は、ロータリシャッタ２０を閉位置でロックするためのものである。ロック片７０は、図４（ａ）に示すように、上シャッタ２１と下シャッタ２２とが組み合わせられてロータリシャッタ２０が形成された際に、ロータリシャッタ２０の周壁部２０ａからその略接線方向に延出する細長の金属片である。このロック片７０の先端部７１は、周壁部２０ａ側に向かってやや屈曲している。ちなみに、このロック片７０はバネ弾性を有している。
【００３７】
なお、図２に示すように、前記した上シャッタ２１及び下シャッタ２２のそれぞれの内側（記録ディスクメディア３０側）には、記録ディスクメディア３０をクリーニングするとともに、記録ディスクメディア３０を保護する不織布等からなるライナ６０が設けられている。
【００３８】
シャッタウォール２３は、図２に示すように、ロータリシャッタ２０の上シャッタ２１及び下シャッタ２２の周縁に沿って延びるように配置されてロータリシャッタ２０の周壁部２０ａ（図４（ａ）参照）を構成する部材である。このシャッタウォール２３は、ロータリシャッタ２０の切欠部２０１に相当する部分が切り欠かれた、平面視で「Ｃ」字形状（略リング形状：切欠リング形状）の部材である。
【００３９】
このようなシャッタウォール２３は、潤活剤と帯電防止剤とを含む合成樹脂で形成されている。
【００４０】
以上のようなロータリシャッタ２０は、図２に示すように、上シェル１１の係合孔１１３に、上シャッタ２１の挿通孔２１２に挿通されたセンタピン５０が固定されることで、センタピン５０周りに回動可能に保持され、カートリッジケース１０内に収容されることとなる。
【００４１】
そして、カートリッジケース１０内でのロータリシャッタ２０は、図３に示すように、閉方向Ａ１に付勢されている。なお、この付勢手段としては、バネを有する公知の構造のものでよく、例えば、前記した特許文献１等に記載のものを使用することができる。そして、このように閉方向Ａ１に付勢されたロータリシャッタ２０は、Ｖノッチ部材１３３に当接することで閉位置に配置されてアクセス用開口部１０１（図１（ａ）（ｂ）参照）を閉じることとなる。ちなみに、本発明において、前記付勢手段は必須の構成要素ではなく、後記するように、ドライブ装置Ｄ（図１０参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００４２】
また、このような閉位置に配置されたロータリシャッタ２０では、ロック片７０の先端部７１が、アーチ状フレーム１３１の係合溝１３１ｅに嵌り込むことで、ロータリシャッタ２０の回動を制止している。そして、この先端部７１は、記録ディスクカートリッジ１の右側で開口している係合溝１３１ｅで外部に臨んでいる。
【００４３】
＜記録ディスクメディア＞
記録ディスクメディア３０は、データを記録する記録媒体であり、図２に示すように、フレキシブルディスク３１と、このフレキシブルディスク３１を支持するハブ３２とを備えて構成されている。
【００４４】
フレキシブルディスク３１は、例えば、ポリエステルシート等からなる円盤状の支持体の両面に磁性層等の記録層を形成したものである。
【００４５】
ハブ３２は、フレキシブルディスク３１を支持する金属製のリング状（環状）部材であり、図７（ａ）及び（ｂ）に示すように、中心部に孔３２１が形成されている。この孔３２１は、図６に示すように、フレキシブルディスク３１の中心部に形成された孔３１ａに連通する。これにより、図５に示すように、組み付け時に孔３２１内には、前記したセンタピン５０が位置する。また、ハブ３２は、上面にフレキシブルディスク３１が接着等により取り付けられる平坦状の取付部３２Ａを備えるとともに、下面にドライブ装置Ｄ（図１０参照）のスピンドルＳＰ（図９（ａ）（ｂ）参照、以下同様）が装着される平坦状のチャック部３２Ｂ（図６、図７（ａ）参照）を備えている。
【００４６】
また、ハブ３２の下部には、スピンドルＳＰの係止部である歯車部５（図９（ａ）参照、以下同様）が係止される滑り止め防止部としての歯状部３２Ｃ（三角波形状）が設けられている。この歯状部３２Ｃは、ハブ３２の一部を鍛造加工することにより、ハブ３２の孔３２１の下部開口縁に一体的に形成されている。本実施形態では、図７（ａ）に示すように、歯状部３２Ｃとして、１９個の突起を設けるものとしたが、歯状部３２Ｃの突起の数は限定されるものではない。なお、好ましい歯状部３２Ｃの突起の数は２〜２０個である。
また、スピンドルＳＰの歯車部５の突起の数は最低１個あればよく、最大でもハブ３２の歯状部３２Ｃの突起の数と同数である。
【００４７】
歯状部３２Ｃは、チャック部３２Ｂが設けられた部位よりも内側となる部位に設けられており、これによって、チャック部３２Ｂに装着されるスピンドルＳＰのマグネットＭ（図９（ａ）（ｂ）参照、以下同様）に干渉しない構造となっている。つまり、ハブ３２にスピンドルＳＰが装着されると、ハブ３２の歯状部３２Ｃには、スピンドルＳＰの歯車部５が位置するようになっている。そのための位置合わせの構成として、スピンドルＳＰの中央部には、ハブ３２にスピンドルＳＰが装着された際に、ハブ３２の孔３２１に挿入可能となる円柱状の位置規制部材６が設けられている。なお、図９（ａ）に示すように、歯状部３２Ｃの開口縁部３２Ｄ及びスピンドルＳＰの位置規制部材６の上端周縁部６ａは、ともに面取りされている。
【００４８】
なお、ハブ３２の歯状部３２Ｃは、ハブ３２の周方向に形成されているので、スピンドルＳＰの歯車部５が係止される際に、ハブ３２とスピンドルＳＰとが相互にずれて、お互いの係止が良好な位置となるように自動的に補正されることとなる。
【００４９】
ここで、ハブ３２は、例えば、ステンレス等の金属材料に、打ち抜き加工及び鍛造加工を施すことにより形成する。具体的には、まず、フェライト系ステンレス鋼からなる板材に打ち抜き加工を施すことで、図８（ａ）に示すようにリング状の部材３２”を打ち抜く。次に、図８（ｂ）及び（ｃ）に示すように、このリング状の部材３２”に鍛造金型Ｋ１を介して、材料をリング状の部材３２’の中央に寄せる鍛造加工を施し、凸部３２Ｃ’を形成する。続いて、図８（ｄ）及び（ｅ）に示すように、凸部３２Ｃ’が形成されたリング状の部材３２’に鍛造金型Ｋ２を介して鍛造により凸部３２Ｃ’に歯状部３２Ｃ及びリング状の部材３２’（ハブ３２）の周縁部にテーパー部３２Ｅを形成し、ハブ３２が完成する。なお、本実施形態では、ハブ３２の材料としてフェライト系ステンレス鋼を使用するものとしたが、ハブ３２を構成する材料には、所定の強度を有し磁石に付く材料であれば限定されないことはいうまでもなく、適宜公知の材料から選定して使用すればよい。例えば、マルテンサイト系ステンレス鋼も好適に使用される。
【００５０】
＜ハブ孔シャッタ＞
ハブ孔シャッタ４０は、図２に示すように、板状の第１シャッタ４１と第２シャッタ４２とで構成されている。このハブ孔シャッタ４０は、図３に示すように、ハブ３２を両側から挟み付けるようにしてハブ孔１２３（図３中、ハブ孔２２２と重なって見える）のハブ３２周りで形成される隙間を閉じるシャッタである。
【００５１】
第１シャッタ４１は、図３に示すように、その一端部に形成された軸孔４１１に下シェル１２の回動軸部１２５ａが差し込まれることで、回動軸部１２５ａ周りで回動可能になっている。また、第２シャッタ４２は、その一端部に形成された軸孔４２１に下シェル１２の回動軸部１２５ｂが差し込まれることで、回動軸部１２５ｂ周りで回動可能になっている。そして、第１シャッタ４１及び第２シャッタ４２のそれぞれの他端部には、ハブ３２の径に合わせ込むように切り欠かれた半円形の切欠４１２，４２２が形成されている。
【００５２】
また、図３に示すように、第１シャッタ４１には、下シャッタ２２の係合突起２２３ａが係合する係合長孔４１３が形成されており、第２シャッタ４２には、係合突起２２３ｂが係合する係合長孔４２３が形成されている。ちなみに、図３に示すように、ロータリシャッタ２０が閉位置に配置されている際には、係合突起２２３ａが係合長孔４１３の後端側に位置し、係合突起２２３ｂが係合長孔４２３の前端側に位置している。
【００５３】
なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が前記した隙間Ｓを開閉するように設計されている。
【００５４】
次に、記録ディスクカートリッジ１の動作について適宜図面を参照しながら説明しつつ、記録ディスクカートリッジ１の作用効果について説明する。参照する図面において、図９（ａ）はスピンドルとハブとの装着説明図、図９（ｂ）はスピンドルとハブとの装着状態を示す断面図である。図１０は、図１の記録ディスクカートリッジ１をドライブ装置Ｄに装填する際の記録ディスクカートリッジ１の動作を説明するための斜視図であり、記録ディスクカートリッジ１の下側を見上げた様子を示す図である。
【００５５】
図１０に示すように、ドライブ装置Ｄに挿入される前（通常時）の記録ディスクカートリッジ１では、ロータリシャッタ２０が前記した閉位置に配置されることでアクセス用開口部１０１が閉じている。そして、ハブ孔シャッタ４０は、ハブ孔１２３のハブ３２周りで形成される隙間Ｓを閉じている。そのため、アクセス用開口部１０１や前記した隙間Ｓから記録ディスクカートリッジ１内に塵埃が入り込むことが防止されるとともに、記録ディスクメディア３０が外部に露出しないので汚損されることが防止される。このとき、図３に示すように、ロック片７０の先端部７１は、アーチ状フレーム１３１の係合溝１３１ｅ（図３参照）に係合しているので、ロータリシャッタ２０は回動しない。したがって、ロータリシャッタ２０が不用意に回動して、後記するように、アクセス用開口部１０１や前記した隙間Ｓが開かれることが防止される。なお、このようにロータリシャッタ２０が閉位置に配置される場合、シャッタノブ２４は、下シェル１２のガイド孔１２４の前方に位置している。
【００５６】
そして、図１０に示すように、記録ディスクカートリッジ１がドライブ装置Ｄに挿入されると、ドライブ装置Ｄ内のロック解除ピン（図示省略）が、図３に示すロック片７０の先端部７１を内側方向Ａ６に押圧する。その結果、ロック片７０と係合溝１３１ｅとの係合が解除されることで、ロータリシャッタ２０が回動可能となる。
【００５７】
その一方で、シャッタノブ２４は、ドライブ装置Ｄのシャッタノブ係止部Ｄ１に当接する。そして、記録ディスクカートリッジ１をさらに挿入していくにしたがって、シャッタノブ２４は、図３に示すように、ガイド孔１２４内を後方向Ａ２に向かって移動する。その結果、シャッタノブ２４が後方向Ａ２に移動するにしたがって、ロータリシャッタ２０は、カートリッジケース１０内でセンタピン５０（図２参照）周りに周方向Ａ３に回動する。つまり、このようなロータリシャッタ２０の回動に伴って、アクセス用開口部１０１が、ドライブ装置Ｄ内で徐々に開いていく。
【００５８】
このようにドライブ装置Ｄに記録ディスクカートリッジ１が挿入されていく際に、ロータリシャッタ２０が、前記したように閉方向Ａ１に向かって回動すると、下シャッタ２２の係合突起２２３ａが、周方向Ａ４に向かって回動するとともに、係合突起２２３ｂが、周方向Ａ４に向かって回動する。その結果、係合突起２２３ａが係合長孔４１３内を後端側に向かって移動することで、第１シャッタ４１は、切欠４１２がハブ３２から離れる方向Ａ５に向かって回動軸部１２５ａ周りに回動する。そして、係合突起２２３ｂが係合長孔４２３内を前端側に向かって移動することで、第２シャッタ４２は、切欠４２２がハブ３２から離れる方向Ａ５に向かって回動軸部１２５ｂ周りに回動する。その結果、ハブ孔シャッタ４０によるハブ３２の挟持状態が解除されるので、ドライブ装置Ｄのスピンドル（図示省略）によるハブ３２の回転が阻害されることがない。
【００５９】
ドライブ装置Ｄに記録ディスクカートリッジ１が挿入されると、図９（ａ）及び（ｂ）に示すように、スピンドルＳＰのマグネットＭが記録ディスクメディア３０のハブ３２のチャック部３２Ｂに磁力により吸着し、これによって、スピンドルＳＰにハブ３２が装着される。このとき、スピンドルＳＰの位置規制部材６がハブ３２の歯状部３２Ｃの内側へ案内されるように挿入され、スピンドルＳＰの歯車部５とハブ３２の歯状部３２Ｃとが相互に噛み合う状態で係止される。これにより、スピンドルＳＰに対するハブ３２の滑りが防止され、スピンドルＳＰの回転がハブ３２に対して確実に伝達されることとなる。回転力がハブ３２を介して記録ディスクメディア３０に伝達される。
【００６０】
また、記録ディスクカートリッジ１がドライブ装置Ｄから取り出される際には、スピンドルＳＰに対するハブ３２の装着が解除されて相互に離反され、その後、ロータリシャッタ２０が付勢手段（図示省略）によって閉方向Ａ１に向かって回動することで前記した閉位置に戻る。そして、このロータリシャッタ２０の回動に伴って、係合突起２２３ａが係合長孔４１３内を前端側に向かって移動し、係合突起２２３ｂが係合長孔４２３内を後端側に向かって移動することで、ハブ孔シャッタ４０は、前記した隙間Ｓを閉じる。そして、このようにロータリシャッタ２０が閉位置に戻ると、前記したようにロック片７０がロータリシャッタ２０をロックすることで、ロータリシャッタ２０の回動は制止される。
【００６１】
なお、本実施形態では、ロータリシャッタ２０を閉方向Ａ１に付勢する付勢手段（図示省略）を有する記録ディスクカートリッジ１を例示しているが、本発明は付勢手段を省略したものであってもよい。この記録ディスクカートリッジ１では、例えば、スロット（図示省略）の近傍にシャッタノブ２４の係止手段（例えば、シャッタノブ２４のクランプ装置）を備えるドライブ装置Ｄを使用することによって、このドライブ装置Ｄへの挿入時には、係止手段でシャッタノブ２４が係止されることで、ロータリシャッタ２０がアクセス用開口部１０１を開き、ハブ孔シャッタ４０がハブ孔１２３を開く。そして、ドライブ装置Ｄから記録ディスクカートリッジ１を引き抜く際には、係止手段でシャッタノブ２４が係止されているので、ロータリシャッタ２０がアクセス用開口部１０１を閉じるとともに、ハブ孔シャッタ４０がハブ孔１２３を閉じる。この際、係止手段がシャッタノブ２４を係止する強さは、ロータリシャッタ２０を回動させるには充分であり、シャッタノブ２４の係止を操作者が容易に解除できる程度に設定される。
【００６２】
以上説明した記録ディスクカートリッジ１によれば、ドライブ装置ＤのスピンドルＳＰに設けられた歯車部５が係止される歯状部３２Ｃがハブ３２に設けられているので、スピンドルＳＰの回転がハブ３２に対して確実に伝達されることとなる。しかも、歯状部３２Ｃは、ハブ３２の一部に鍛造加工を施すことにより、当該ハブ３２に一体的に形成されているため、簡易かつ確実に形成されて、記録ディスクメディア３０に対する適正な記録再生を行うことができ、記録ディスクメディア３０の高密度記録化を図ることができる。特に、記録ディスクカートリッジ１が小型で、記録ディスクメディア３０を支持するハブ３２が小型であるような場合にも、係止を簡単に行うための細かい歯形状の形成を簡単に行うことができ、このように小型で高密度記録化された記録ディスクメディア３０に対しても適正な記録再生を行うことができる。
【００６３】
また、歯状部３２Ｃは、金属部材であるハブ３２を加工することにより形成されているため、記録ディスクカートリッジ１を繰り返し使用しても、磨耗が少なく、長期的に使用することが可能である。
【００６４】
また、歯状部３２Ｃは、ハブ３２のチャック部３２Ｂが設けられた部位とは別部位に設けられているので、スピンドルＳＰにチャック部３２Ｂが装着される際に歯状部３２Ｃが干渉することがなく、装着が阻害されることがない。したがって、スピンドルＳＰの回転がチャック部３２Ｂを介してハブ３２に良好に伝達されることとなる。しかも、前記のように装着が阻害されることがないので、スピンドルＳＰとハブ３２との安定した接続が確保され、ハブ３２に支持された記録ディスクメディア３０が回転する際に面振れ等を生じることがない。したがって、記録ディスクメディア３０に対する適正な記録再生を行うことができ、記録ディスクメディア３０の高密度記録化を図ることができる。
【００６５】
また、歯状部３２Ｃは、ハブ３２の周方向に連続して形成されているので、スピンドルＳＰの歯車部５との確実な係止を行うことができ、スピンドルＳＰとハブ３２との滑りをより一層確実に防止して記録ディスクメディア３０に対する適正な記録再生を行うことができる。
【００６６】
また、ハブ３２（歯状部３２Ｃ）の形成を、ハブ３２に鍛造により凸部３２Ｃ’を形成した後、この凸部３２Ｃ’に鍛造加工を施すことで歯状部３２Ｃを形成しているため、前記の段階によらずにリング状の金属材料に直接鍛造加工を施すことで歯状部３２Ｃを形成する場合に比べて、弱いプレス力で形成することが可能となり、鍛造金型に負荷されるプレス力や、プレス機への負担を軽減することが可能となり、鍛造金型やプレス機の長寿命化が可能となる。
また、ハブ３２の形成を、前記のように打ち抜き加工及び鍛造加工により行うため、切削では困難であった歯状部３２Ｃの形成を、簡易かつ正確に行えるため、スピンドルＳＰの歯車部５との確実な係止を行うことができる。
【００６７】
以上、本発明の好適な実施形態について説明したが、本発明は前記実施形態に限定されるものではない。
例えば、前記実施形態では、滑り止め防止部を歯状に形成するものとしたが、滑り止め防止部の形状は、スピンドルに設けられた係止部が係止可能な形状であればよく、歯状に限定されないことはいうまでもない。
【００６８】
また、前記ハブの鍛造加工は、それぞれ個別の金型を使用して段階毎に鍛造してもよいし、また、順送金型に組み込んで順次材料を順送しつつ鍛造を行ってもよい。
また、滑り止め防止部の形成方法は、前記実施形態に示した手順に限定されるものではなく、適宜公知の形成方法から選定して行うことが可能である。
【図面の簡単な説明】
【００６９】
【図１】本実施形態に係る記録ディスクカートリッジを示す斜視図であり、（ａ）は、この記録ディスクカートリッジの上側を見下ろした様子を示す図、（ｂ）は、この記録ディスクカートリッジの下側を見上げた様子を示す図である。
【図２】図１の記録ディスクカートリッジの分解斜視図である。
【図３】図１の記録ディスクカートリッジを構成する下シェル及びハブ孔シャッタを取り外したときの記録ディスクカートリッジの下側の様子を示す図である。
【図４】図１の記録ディスクカートリッジを構成するロータリシャッタの斜視図であり、（ａ）は、ロータリシャッタの上側を見下ろした様子を示す図、（ｂ）は、ロータリシャッタの下側を見上げた様子を示す図である。
【図５】記録ディスクカートリッジの中央部の拡大断面図である。
【図６】記録ディスクメディアを分解して下側を見上げた様子を示す斜視図である。
【図７】（ａ）はハブの下側を見上げた様子を示す拡大斜視図、（ｂ）は図７（ａ）のｂ−ｂ断面図である。
【図８】ハブの製造に係る各状況を示す図であって、（ａ）はリング状に形成された金属部材を示す斜視図、（ｂ）はリング状の金属部材に凸部が形成された状況を示す斜視図、（ｃ）は（ｂ）の加工状況を示す断面図、（ｄ）は凸部に歯状部が形成された状況を示す斜視図、（ｅ）は（ｄ）の加工状況を示す断面図である。
【図９】（ａ）はスピンドルとハブとの装着説明図、（ｂ）はスピンドルとハブとの装着状態を示す断面図である。
【図１０】図１の記録ディスクカートリッジをドライブ装置に装填する際の記録ディスクカートリッジの動作を説明するための斜視図であり、記録ディスクカートリッジの下側を見上げた様子を示す図である。
【図１１】（ａ）は、従来の記録ディスクカートリッジの上側を前方左側から見下ろした様子を示す図、（ｂ）は、この記録ディスクカートリッジを下側を後方左側から見上げた図である。
【符号の説明】
【００７０】
１        記録ディスクカートリッジ
５        歯車部（係止部）
６        位置規制部材
１０      カートリッジケース
２０      ロータリシャッタ
３０      記録ディスクメディア
３０      記録ディスクメディア
３１      フレキシブルディスク
３２      ハブ
３２Ａ    取付部
３２Ｂ    チャック部
３２Ｃ    歯状部（滑り止め防止部）
３２Ｃ’  凸部
Ｄ        ドライブ装置
Ｋ１，Ｋ２  鍛造金型
ＳＰ      スピンドル
【図１】
2007164877.tif 000003
【図２】
2007164877.tif 000004
【図３】
2007164877.tif 000005
【図４】
2007164877.tif 000006
【図５】
2007164877.tif 000007
【図６】
2007164877.tif 000008
【図７】
2007164877.tif 000009
【図８】
2007164877.tif 000010
【図９】
2007164877.tif 000011
【図１０】
2007164877.tif 000012
【図１１】
2007164877.tif 000013